(57)【要約】【課題】主に、梁（隅棟梁）などを用いずに隅棟付屋根の傾斜した屋根面を容易に設置できるようにする。【解決手段】傾斜した２つの屋根面４が、斜めに降りる稜線を有して山状に合わされる隅棟１４を備えた隅棟付屋根８の水上側で、屋根面４の取付けに用いる屋根パネル組付金具２１に関する。  各屋根面４がそれぞれ複数枚の屋根パネル１１，１２で構成される。  屋根パネル組付金具２１は、屋根面４の１つを構成する複数枚の屋根パネル１１，１２を同時に載置保持可能なパネル受部３１と、パネル受部３１を、隅棟付屋根８の水上側に設けられた柱部３３に対して固定可能な柱固定部３４と、を備える。  パネル受部３１が、載置保持した複数枚の屋根パネル１１，１２の側面をそれぞれ固定可能な複数の側面固定部３６，３７を有している。【選択図】図６
2019052514.tif 000002
【特許請求の範囲】
【請求項１】
傾斜した２つの屋根面が、斜めに降りる稜線を有して山状に合わされる隅棟を備えた隅棟付屋根の水上側で、前記屋根面の取付けに用いる屋根パネル組付金具であって、
前記各屋根面がそれぞれ複数枚の屋根パネルで構成されると共に、前記屋根面の１つを構成する複数枚の前記屋根パネルを同時に載置保持可能なパネル受部と、該パネル受部を、前記隅棟付屋根の水上側に設けられた柱部に対して固定可能な柱固定部と、を備え、前記パネル受部が、載置保持した複数枚の前記屋根パネルの側面をそれぞれ固定可能な複数の側面固定部を有していることを特徴とする屋根パネル組付金具。
【請求項２】
請求項１に記載の屋根パネル組付金具において、
前記パネル受部は、前記隅棟を構成する前記２つの屋根面をそれぞれ別個に載置保持できるよう、対にして用いることが可能なものとされ、対の前記パネル受部は、前記隅棟の前記稜線の位置を境として山状に組み合わされることを特徴とする屋根パネル組付金具。
【請求項３】
請求項２に記載の屋根パネル組付金具において、
対の前記パネル受部は、前記隅棟の前記稜線の位置に上下の高低差を有して設置可能であることを特徴とする屋根パネル組付金具。
【請求項４】
請求項１ないし請求項３のいずれか１項に記載の屋根パネル組付金具において、
対の前記パネル受部は、前記柱部に対してそれぞれ別個に固定可能な対の前記柱固定部を有すると共に、対の該柱固定部は、互いに連結固定可能な連結部を備えていることを特徴とする屋根パネル組付金具。
【請求項５】
請求項１ないし請求項４のいずれか１項に記載の屋根パネル組付金具を用いて隅棟付屋根を構成する傾斜した屋根面が取付けられていることを特徴とする建物。
【請求項６】
請求項５に記載の建物において、
前記隅棟付屋根の隅棟の両側に位置する前記２つの屋根面は、一方が太陽電池パネルを備えた屋根パネルで構成され、他方が屋根仕上材を備えた屋根パネルで構成されていることを特徴とする建物。
【発明の詳細な説明】
【技術分野】
【０００１】
この発明は、屋根パネル組付金具および建物に関するものである。
【背景技術】
【０００２】
戸建住宅などの建物には、傾斜した２つの屋根面が、斜めに降りる稜線を有して山状に合わさる隅棟を備えた寄棟屋根などの隅棟付屋根を有するものが存在している（例えば、特許文献１〜特許文献５参照）。
【先行技術文献】
【特許文献】
【０００３】
【特許文献１】実開平５−１４３３８号公報
【特許文献２】特開昭５４−１３６７１８号公報
【特許文献３】実開昭５５−１７８５１４号公報
【特許文献４】特開平５−７９１１７号公報
【特許文献５】特開２０１４−３４８１２号公報
【発明の概要】
【発明が解決しようとする課題】
【０００４】
上記寄棟屋根では、例えば、隅棟部分に隅棟梁などと呼ばれる梁を設けて、この梁に隅棟を構成する各屋根面を取付けるなどしていた（特許文献１〜特許文献３）。しかし、上記した梁は、大型の部材であるため、設置に手間がかかると共に、コストがかかるなどの問題があった。
【０００５】
これに対し、特許文献４のように、隅棟を構成する各屋根面の取付けに、形状や大きさの異なる様々な取付金具を多数用いるようにしたものも存在している。また、特許文献５のように、隅棟を構成する各屋根面の取付けに高さの異なる複数の束（つか）を用いるようにしたものも存在している。しかし、特許文献４や特許文献５のものは、取付金具や束が複雑な形状の大型部品などとなっており、しかも、１箇所の隅棟部分を形成するのに大きさや形状の異なる取付金具や束を多数必要としていたので、取付金具や束の部品点数が多くなると共に取扱性が悪く、また、施工に手間のかかるものとなっていた。
【０００６】
そこで、本発明は、主に、上記した問題点を解決することを目的としている。
【課題を解決するための手段】
【０００７】
上記課題を解決するために、本発明は、傾斜した２つの屋根面が、斜めに降りる稜線を有して山状に合わされる隅棟を備えた隅棟付屋根の水上側で、前記屋根面の取付けに用いる屋根パネル組付金具であって、前記各屋根面がそれぞれ複数枚の屋根パネルで構成されると共に、前記屋根面の１つを構成する複数枚の前記屋根パネルを同時に載置保持可能なパネル受部と、該パネル受部を、前記隅棟付屋根の水上側に設けられた柱部に対して固定可能な柱固定部と、を備え、前記パネル受部が、載置保持した複数枚の前記屋根パネルの側面をそれぞれ固定可能な複数の側面固定部を有していることを特徴とする。また、上記屋根パネル組付金具を用いて屋根を構築した建物を特徴とする。
【発明の効果】
【０００８】
本発明によれば、上記構成によって、梁（隅棟梁）などを用いずに隅棟付屋根の傾斜した屋根面を容易に設置することなどができる。
【図面の簡単な説明】
【０００９】
【図１】実施例１にかかる屋根パネル組付金具を用いた建物の屋根（寄棟屋根などの隅棟付屋根）の斜視図である。
【図１Ａ】図１の変形例にかかる屋根パネル組付金具を用いた建物の屋根（方形屋根などの隅棟付屋根）の斜視図である。
【図２】図１の屋根の骨組構造および組立状況を示す斜視図である。
【図３】図２の水上部分の拡大斜視図である。
【図４】図２の軒元部分（隅棟側）の拡大斜視図である。
【図５】図２の軒元部分（隅棟とは反対の側）の拡大斜視図である。
【図６】実施例１にかかる屋根パネル組付金具の斜視図である。
【図７】図６の平面図である。
【図８】複数の屋根パネルを取付けた屋根パネル組付金具の側面図である。
【図９Ａ】図６の右側に位置する屋根パネル組付金具の斜視図である。
【図９Ｂ】図９Ａを隅棟側から見た斜視図である。
【図９Ｃ】図９Ａの平面図である。
【図９Ｄ】図９Ｃを図の下側から見た図である。
【図９Ｅ】図９Ｃを図の右側から見た図である。
【図１０Ａ】図９Ａのパネル受部の斜視図である。
【図１０Ｂ】図１０Ａの平面図である。
【図１０Ｃ】図１０Ｂを図の左側から見た図である。
【図１０Ｄ】図１０Ｂを図の下側から見た図である。
【図１０Ｅ】図１０Ｂを図の右側から見た図である。
【図１１Ａ】図９Ａの柱固定部の斜視図である。
【図１１Ｂ】図１１Ａの平面図である。
【図１１Ｃ】図１１Ｂを隅棟と垂直な方向から見た斜視図である。
【図１１Ｄ】図１１Ｂを隅棟の延設方向から見た斜視図である。
【図１１Ｅ】図１１Ｂを図の下側から見た図である。
【図１１Ｆ】図１１Ｂを図の右側から見た図である。
【図１２】屋根パネル組付金具を用いて屋根に三角形状の屋根パネルを取付けた状態を示す部分的な斜視図である。
【図１３】図１２の隅棟部分の縦断面図である。
【図１４】対の屋根パネル組付金具に高低差を設けた場合の、図１３と同様の隅棟部分の縦断面図である。
【図１５】柱固定部を連結部で互いに連結固定した対の屋根パネル組付金具を示す斜視図である。
【図１６】屋根パネル組付金具に三角形状の屋根パネルを設置して上下にボルト固定する状態を示す斜視図である。
【図１７】屋根パネル組付金具に三角形状の屋根パネルを上下にボルト固定した後の取付状態を示す斜視図である。
【図１８】屋根パネル組付金具に三角形状の屋根パネル（の隅棟側とは反対の側）を固定する状態を示す図である。
【図１９】実施例２にかかる屋根パネル組付金具の斜視図である。
【図１９Ａ】図１９の第一の固定部と第二の固定部との状態を示す斜視図である。
【図２０】図２１の平面図である。
【図２１】実施例３にかかる屋根パネル組付金具の斜視図である。
【図２２】実施例４にかかる屋根パネル組付金具の斜視図である。
【図２３】図２２の柱固定部の斜視図である。
【発明を実施するための形態】
【００１０】
以下、本実施の形態を、図面を用いて詳細に説明する。
図１〜図２３は、この実施の形態の各実施例を説明するものである。
【実施例１】
【００１１】
＜構成＞以下、構成について説明する。
【００１２】
図１は、戸建住宅などの建物１の屋根２を示す図である。この屋根２は、中央に平面視ほぼ矩形状をした水平且つ平坦な屋根面３（水平屋根面または陸屋根面）などを有すると共に、水平な屋根面３の周囲に下り勾配で傾斜した４つの屋根面４（傾斜屋根面）を有する寄棟屋根（以下、隅棟付屋根８という）となっている。なお、中央に位置する屋根面３は、平面視ほぼ矩形状をした水平且つ平坦なものに限るものではなく、例えば、四角錐状のものなどとすることができる。４つの屋根面４は、必要な場合には、東西南北の方角を概略で示す（Ｅ）（Ｗ）（Ｓ）（Ｎ）を付すことによって、区別できるようにしている。
【００１３】
傾斜した屋根面４は、それぞれ平面視ほぼ台形状などをしている。台形状の各屋根面４は、それぞれ両側に位置する三角形状の屋根パネル１１と、三角形状の屋根パネル１１の間に位置する単数または複数枚の四角形状の屋根パネル１２とを適宜組み合わせて構成されている。そして、傾斜した４つの屋根面４は、隣接する２つの屋根面４が、斜めに降りる稜線を有して山状に合わされる隅棟１４を構成している。なお、三角形状の屋根パネル１１は、隅棟１４を構成するための斜辺を有する屋根パネル１１の代表的な例である。三角形状の屋根パネル１１は、台形状の屋根パネル１１や、その他の斜辺を有する屋根パネル１１などに変更することができる。以下、分かり易いように三角形状の屋根パネル１１として説明するが、要するに隅棟１４を構成するための斜辺を有する屋根パネル１１であれば良いので、三角形状の屋根パネル１１には、上記したような代替可能な他の形状の屋根パネル１１も含むことができるものとする。
【００１４】
隅棟１４とは、寄棟造りなどの屋根２で、屋根面４が互いに接する部分にできる、隅に向かって傾斜した棟（隅降棟）のことである。または、屋根２の隅で斜め方向に降りている下がり棟のことである。隅棟１４は、各屋根面４の両側に位置する三角形状の屋根パネル１１どうしが合わされることによって形成されている。なお、隅棟１４を有する屋根２には、例えば、図１に示すような寄棟屋根や、図１Ａに示すような方形屋根や、入母屋屋根や、はかま腰屋根など各種のものが存在している。以下、これらの隅棟１４を有する屋根２を総称して隅棟付屋根８という。なお、図１Ａの方形屋根では、三角形状の屋根パネル１１に替えて台形状の屋根パネル１１を使用している。
【００１５】
ここで、建物１は、ユニット建物とされている。ユニット建物は、予め工場で製造された（直方体状の）建物ユニット１６を建築現場へ搬送して、建築現場で組み立てることにより、短期間のうちに建物１を構築できるようにしたものである。建物ユニット１６には、鉄骨系のものと木質系のものとが存在しているが、この実施例では、鉄骨系のものとしている。なお、建物１は、鉄骨系のユニット建物に限るものではなく、木質系のユニット建物やその他の建物１とすることができる。
【００１６】
そして、鉄骨系のユニット建物の場合、例えば、図２に示すように、大型の建物ユニット１６ａと小型の建物ユニット１６ｂとを３基ずつ使って平面視矩形状の建物躯体または建物本体１７（の上階部分）を構成する。更に、この建物本体１７（の上階部分）の中央部分に水平な屋根面３を設置するための屋根構造体１８を設置する。例えば、屋根構造体１８は、門型の架構などを備えたもの（小屋組部材）などとすることができる。そして、屋根構造体１８の上部と、建物本体１７（の上階部分）の上部との間に、三角形状の屋根パネル１１や四角形状の屋根パネル１２を（直接）斜めに傾けて設置することによって、上記した隅棟付屋根８を形成するようにしている。
【００１７】
この際、隅棟付屋根８における隅棟１４の部分を構成するために、屋根構造体１８の上部には、隅棟固定金具としてこの実施例にかかる水上側の屋根パネル組付金具２１が取付けられる（図３）。また、建物本体１７（の上階部分）の上部には、軒元固定金具として別の屋根パネル組付金具２３，２４が取付けられる（図４、図５）。そして、上記した屋根パネル組付金具２１，２３，２４を用いて、隅棟１４の部分に三角形状の屋根パネル１１が取付けられる。四角形状の屋根パネル１２についても、ほぼ同様にして取付けられる。
【００１８】
上記のうち、軒元側の別の屋根パネル組付金具２３，２４は、例えば、図４、図５に示すように、上下方向へ延びるガイド溝部２７を有するものとされている。そして、屋根パネル１１の軒元側の部分に、ボルトなどの支軸部２６を内方へ向けてほぼ水平に突設しておき、このボルトなどの支軸部２６を、別の屋根パネル組付金具２３，２４に設けられた上下方向へ延びるガイド溝部２７へ上から落とし込むことなどによって、簡単に屋根パネル１１の軒元部分を建物本体１７に対して上下方向に係止保持できるようにしている。
【００１９】
そして、以上のような全体的な構成に対し、この実施例は、以下のような構成を備えている。
【００２０】
（１）先ず、水上側の屋根パネル組付金具２１の詳細について説明する。
【００２１】
屋根パネル組付金具２１は、図６の斜視図（図７の平面図、図８の側面図も併せて参照）に示すように、各屋根面４がそれぞれ複数枚の屋根パネル１１，１２で構成される場合に、屋根面４の１つを構成する複数枚の屋根パネル１１，１２を同時に載置保持可能なパネル受部３１（複数パネル受部）を備えている。そして、屋根パネル組付金具２１は、パネル受部３１を、隅棟付屋根８の水上側に設けられた柱部３３に対して固定可能な柱固定部３４を備えている。更に、パネル受部３１が、載置保持した複数枚の屋根パネル１１，１２の側面をそれぞれ固定可能な複数の側面固定部３６，３７を備えている。
【００２２】
ここで、屋根パネル組付金具２１は、隅棟１４の側に隣接配置された三角形状の屋根パネル１１と四角形状の屋根パネル１２とを二枚同時に載置保持できるものとされる（図７、図８参照）。屋根パネル組付金具２１は、図９Ａ〜図９Ｅの部品図に示すような形状や構造を有するものとなっている。
【００２３】
このうち、パネル受部３１は、図１０Ａ〜図１０Ｅの部分図に示すように、三角形状の屋根パネル１１を載置する第一のパネル載置面４１と、四角形状の屋根パネル１２を載置する第二のパネル載置面４２とを有している。第一のパネル載置面４１および第二のパネル載置面４２は、屋根パネル１１，１２の枠部６１における水上側のコーナー部分をそれぞれ支持可能な最低限の大きさなどとなるように形成されている。
【００２４】
第一のパネル載置面４１は、平面視ほぼ三角形状とされる。また、第二のパネル載置面４２は、平面視ほぼ四角形状とされる。そして、第二のパネル載置面４２は、第一のパネル載置面４１の隅棟１４とは反対側の辺部における上側（水上側）の部分に、隅棟１４とは反対側へ張り出すように設けられる。この実施例では、パネル受部３１は、第一のパネル載置面４１と第二のパネル載置面４２とを面一となるように一体に備えたほぼ横向きの一枚物の金属板で主に構成されている。
【００２５】
柱部３３は、屋根構造体１８（図２）のものを使用することができる。例えば、屋根構造体１８は、少なくとも、４本の柱部３３の上端部間を４本の上梁で矩形状に連結したものなどとすることができる。この場合、柱部３３は、柱固定部３４を固定し易いようにＣ字断面の鋼材（型鋼）などとなっている。
【００２６】
柱固定部３４は、図１１Ａ〜図１１Ｆの部分図に示すように、縦向きに配置した一枚物の金属板を、上下方向へ延びる折線部にて、柱固定部３４の外形の一部（隅棟１４側のほぼ上半分、図７参照）にほぼ沿うように折曲げられた複数の縦向きの面５１〜５４（縦面部）を有する開ループ状の縦型部材となっている。なお、構造的には、柱固定部３４を、閉ループ状の柱状部材にすることも可能である。
【００２７】
このうち、面５１は、側面固定部３７の基部の位置に沿って延びるものとなっている。
【００２８】
そして、柱固定部３４の水上側に位置する１つの面５２が柱部３３の側面に当接固定可能な柱固定面５５となっている。柱固定面５５には、柱部３３にボルトなどの締結具で固定するためのネジ孔５７が設けられている。
【００２９】
柱固定部３４は、上縁部がパネル受部３１の傾斜に合わせて傾斜されており、傾斜した上縁部は、パネル受部３１の下面に一体に溶接固定される。このように、柱固定部３４の傾斜した上縁部を、パネル受部３１の下面に線接触状態で溶接固定することで、屋根パネル組付金具２１を寸法精度の良く仕上げることが可能となる。
【００３０】
更に、柱固定部３４には、第一のパネル載置面４１のほぼ中央部を横断する面５４が設けられており、この面５４が第一のパネル載置面４１を下側から補強する補強部５９（受面補強部）となっている。この補強部５９は、平面視で隅棟１４とほぼ直交する方向へ延びている。
【００３１】
なお、柱固定部３４は、構造的には、屋根構造体１８の上梁や、上梁と柱部３３との間や、屋根構造体１８のその他の部位などに対して支持固定される固定部（例えば、梁固定部や梁柱間固定部）などに代えることもできる。但し、構造的には、柱固定部３４とするのが最も好ましい。
【００３２】
図１２に示すように（図１３、図１４も併せて参照）、屋根パネル１１は、少なくとも枠部６１を有している。例えば、三角形状の屋根パネル１１の枠部６１は、両側辺に、隅棟１４側に位置する隅垂木６３や、四角形状の屋根パネル１２側に位置する端垂木６４などを有している。屋根パネル１１，１２の側面は、三角形状の屋根パネル１１の場合、隅垂木６３や端垂木６４の側面となる。
【００３３】
そして、図１５に示すように、屋根パネル組付金具２１の側面固定部３６，３７は、第一のパネル載置面４１および第二のパネル載置面４２に対して、屋根パネル１１，１２を別々に固定できるようにそれぞれ別個に設けられる。
【００３４】
側面固定部３６，３７は、パネル受部３１の隅棟１４とは反対側の辺から面直に立ち上がる立上部７１と、立上部７１の上端部から隅棟１４とは反対側へ向けてパネル受部３１とほぼ平行に屈曲されたフランジ部７２とを有する屈曲形状にしている。
【００３５】
フランジ部７２は、屋根パネル１１，１２の側面に取付けた補助金具６６（Ｌ字金具、図１６〜図１８も併せて参照）の横面部を下側から受けるためのものである。フランジ部７２には、補助金具６６の横面をボルト・ナットなどの締結具７６でほぼ上下方向に固定するためのボルト孔７７が設けられる。このように、側面固定部３６，３７を屈曲形状にして、補助金具６６（Ｌ字金具）を介して屋根パネル１１，１２を固定するようにしたことにより、屋根パネル１１，１２を横方向に位置調整できるようになるので、屋根パネル１１，１２を精度良く取付けることが可能となる。
【００３６】
この実施例では、屋根パネル組付金具２１の側面固定部３６，３７は、パネル受部３１を構成する一枚物の金属板に、側面固定部３６，３７となる突片を設けて、この突片を上記したように屈曲することによってパネル受部３１と一体に設けられている。
【００３７】
そして、屋根パネル組付金具２１は、図２または図１２に示すように、三角形状の屋根パネル１１を取付けた後に、四角形状の屋根パネル１２を取付けるようになっている。三角形状の屋根パネル１１の取付けについては後述する。
【００３８】
（２）図１３（図１２）に示すように、パネル受部３１は、隅棟１４を構成する２つの屋根面４をそれぞれ別個に載置保持できるよう、対にして用いることが可能なものにしても良い。そして、対のパネル受部３１は、隅棟１４の稜線の位置を境として山状に組み合わされるようにしても良い。
【００３９】
ここで、屋根パネル組付金具２１は、図９Ａ〜図９Ｅに示すもの（屋根パネル組付金具２１（Ｒ））、および、これと左右反対勝手のもの（屋根パネル組付金具２１（Ｌ））を組み合わせて使用するのに適したものになっている。なお、対の屋根パネル組付金具２１は、必要に応じて、左右を示す（Ｒ）（Ｌ）を付して区別できるようにしている。
【００４０】
そして、対の屋根パネル組付金具２１を組み合わせた時に、対を成すパネル受部３１が、隅棟１４の稜線の位置を境として山状に組み合わされることになる。そのために、パネル受部３１には、隅棟１４の稜線の位置に斜辺部８３（図１５）を有しており、斜辺部８３を突き合わせることで、対のパネル受部３１が山状に隣接配置されるようになっている。
【００４１】
（３）この際、必要な場合には、図１４に示すように、対のパネル受部３１は、隅棟１４の稜線の位置に上下の高低差８５を有して設置可能としても良い。
【００４２】
ここで、対のパネル受部３１の高低差８５は、例えば、対の柱固定部３４の柱部３３に対する取付位置をそれぞれ上下に異ならせることによって設定することができる。高低差８５の設定は、柱部３３に高さ違いの取付孔を設けるだけでできるので、構成的にも簡単であり、精度も確保することができる。
【００４３】
（４）図１５に示すように、対のパネル受部３１は、柱部３３に対してそれぞれ別個に固定可能な対の柱固定部３４を有するようにしても良い。そして、対の柱固定部３４は、互いに連結固定可能な連結部９１を備えるようにしても良い。
【００４４】
ここで、連結部９１は、柱固定部３４における隅棟１４の稜線に沿った面５３（または、パネル受部３１の斜辺部８３に沿った面５３）とすることができる。連結部９１には、互いに当接した状態でボルト・ナットなどの締結具９２によって固定するためのボルト孔９３が設けられる。
【００４５】
（５）以下、建物１について説明する。
【００４６】
この実施例の建物１は、図１（図２）に示すように、上記した屋根パネル組付金具２１を用いて隅棟付屋根８を構成する傾斜した屋根面４を取付けたものとなっている。
【００４７】
ここで、建物１については、既に上記した通りである。この実施例の隅棟付屋根８は、形状的には、中央に平面視ほぼ矩形状をした水平な屋根面３（陸屋根面）を有すると共に、水平な屋根面３を頂部として、その周囲に傾斜した４つの屋根面４を有している点が特徴となっている。また、構造的には、三角形状の屋根パネル１１や四角形状の屋根パネル１２を、水上側の屋根パネル組付金具２１や、軒元側に位置する別の屋根パネル組付金具２３，２４などによる少ない取付点で取付けられるようにしている点が特徴となっている。更に、水上側の屋根パネル組付金具２１は、三角形状の屋根パネル１１と隣接する四角形状の屋根パネル１２とを同時に取付けられるようにしている点が特徴となっている。
【００４８】
但し、上記した水上側の屋根パネル組付金具２１を用いて構築できる屋根２の形状は、上記に限るものではない。また、三角形状の屋根パネル１１や四角形状の屋根パネル１２の軒元側は、別の屋根パネル組付金具２３，２４を用いずに建物本体１７などへ直接固定することなども可能である。逆に、屋根パネル組付金具２１，２３，２４に、別の屋根パネル組付金具を追加して屋根パネル１１，１２を取付けることなども構造的には可能である。
【００４９】
（６）この際、図１４に示すように、隅棟付屋根８の隅棟１４の両側に位置する２つの屋根面４は、一方が太陽電池パネル９５を備えた屋根パネル１１，１２で構成され、他方が屋根仕上材９６を備えた屋根パネル１１，１２で構成されるようにしても良い。
【００５０】
ここで、太陽電池パネル９５を備えた屋根パネル１１，１２は、例えば、南向きの屋根面４（Ｓ）や西向きの屋根面４（Ｗ）や東向きの屋根面４（Ｅ）などに最適に設置することができる。また、屋根仕上材９６を備えた屋根パネル１１，１２は、例えば、北向きの屋根面４（Ｎ）などに設置される。
【００５１】
太陽電池パネル９５を備えた屋根パネル１１，１２は、屋根仕上材９６を備えた屋根パネル１１，１２のものとほぼ同様の基本構造６２に対し、屋根仕上材９６の代わりに下地鋼板などを取付けて、その上に太陽電池パネル９５を搭載したものなどとなっており、太陽電池パネル９５を備えた分だけ、屋根仕上材９６を備えた屋根パネル１１，１２よりも厚くなる。なお、太陽電池パネル９５は、工場などで予め屋根パネル１１，１２に組み込むようにしても良い。
【００５２】
そこで、屋根パネル組付金具２１に、（３）の欄に記載したような高低差８５を設けることで、太陽電池パネル９５を備えた屋根パネル１１，１２を有する屋根面４と屋根仕上材９６を備えた屋根パネル１１，１２を有する屋根面４とを、表面の高さが揃った状態で隣接配置することが可能になる。高低差８５は、太陽電池パネル９５の厚みや高さの分だけ、太陽電池パネル９５側の屋根パネル組付金具２１を、屋根仕上材９６側の屋根パネル組付金具２１よりも低く設定する。
【００５３】
但し、太陽電池パネル９５と屋根仕上材９６との高さを揃えなくても良い場合には、図１３に示すように、上記した高低差８５は特に設ける必要はない。
【００５４】
＜作用＞以下、この実施例の作用について説明する。
【００５５】
図２に示すように、複数の建物ユニット１６によって建物本体１７（の上階部分）を組み立て、建物本体１７（の上階部分）の中央部分に屋根構造体１８を設置する。
【００５６】
この際、工場で予め、屋根構造体１８の上部に、隅棟固定金具として水上側の屋根パネル組付金具２１を取付けておくと共に、建物本体１７（の上階部分）の上部に、軒元固定金具として軒元側に位置する別の屋根パネル組付金具２３，２４を取付けておく。
【００５７】
そして、上記した屋根パネル組付金具２１，２３，２４を用いて三角形状の屋根パネル１１や四角形状の屋根パネル１２を取付けて傾斜した屋根面４を構築する（図１）。この際、三角形状の屋根パネル１１を先に取付け、四角形状の屋根パネル１２を三角形状の屋根パネル１１の後から取付けるようにする。
【００５８】
先ず、三角形状の屋根パネル１１の取付けについて説明する。三角形状の屋根パネル１１は、図１２（図２）に示すように、枠部６１に、隅棟１４側に位置する隅垂木６３と、四角形状の屋根パネル１２側に位置する端垂木６４とを有している。
【００５９】
そして、図１６に示すように、端垂木６４の外側面にＬ字金具などの補助金具６６を取付けておく。
【００６０】
図４、図５に示すように、三角形状の屋根パネル１１の軒元側に突設した支軸部２６を、軒元側の別の屋根パネル組付金具２３，２４のガイド溝部２７へそれぞれ上から落とし込むようにして、三角形状の屋根パネル１１の軒元側を軒元側の別の屋根パネル組付金具２３，２４に係止保持する。
【００６１】
同時に、図１６に示すように、三角形状の屋根パネル１１の頂部を水上側の屋根パネル組付金具２１のパネル受部３１（の第一のパネル載置面４１）の上に載置する。
【００６２】
そして、図１８に示すように、三角形状の屋根パネル１１に取付けたＬ字金具などの補助金具６６の横面部とパネル受部３１の側面固定部３６（のフランジ部７２）とをボルト・ナットなどの締結具７６でほぼ上下方向に固定する。
【００６３】
こうして、三角形状の屋根パネル１１が取付けられたら、ほぼ同様の手順で四角形状の屋根パネル１２を取付けることで、傾斜した屋根面４を構築する。また、屋根構造体１８の上面に、水平な屋根面３を取付ける。これにより屋根２（隅棟付屋根８）が完成される。
【００６４】
＜効果＞この実施例によれば、以下のような効果を得ることができる。
【００６５】
（効果１）屋根パネル組付金具２１は、屋根２（隅棟付屋根８）の１つの屋根面４を構成する複数枚の屋根パネル１１，１２を同時に載置保持可能なパネル受部３１と、パネル受部３１を、隅棟付屋根８の水上側に設けられた柱部３３に対して固定可能な柱固定部３４と、を備えている。また、パネル受部３１は、載置保持した複数枚の屋根パネル１１，１２の側面をそれぞれ固定可能な複数の側面固定部３６，３７を有している。
【００６６】
そのため、パネル受部３１によって、１つの屋根面４を構成する複数枚の屋根パネル１１，１２を同時（一緒に）に載置保持することができる。よって、複数の屋根パネル１１，１２を、パネル受部３１に載置するだけで、複数の屋根パネル１１，１２は表面に面段差などがない状態に並べられるので、複数の屋根パネル１１，１２の表面が揃った屋根面４を簡単に構築することができる。
【００６７】
また、隅棟付屋根８は、これまで建築現場で隅棟１４の部分に隅棟梁などと呼ばれる大型の梁を設けて、この梁に各屋根面４を構成する複数枚の屋根パネル１１，１２を取付けるなどしていたが、上記した屋根パネル組付金具２１を用いることにより、例えば、建築現場で梁を設置したり、梁を取付けるための金具を設置したりすることなく、複数枚の屋根パネル１１，１２を設置することができるようになり、簡単に各屋根面４を構築することが可能になる。
【００６８】
しかも、上記した屋根パネル組付金具２１は、梁と比べて小型軽量であり、機能を集約した合理的な形状となっているため、コストを抑えることができる。また、予め工場で屋根ユニットや屋根フレームなどの屋根構造体１８の柱部３３に屋根パネル組付金具２１を取付けておけば、建築現場で、直ちに屋根パネル１１，１２の取付けを行うことができ、１人作業でも少ない工数で屋根パネル組付金具２１に屋根パネル１１，１２を簡単に取付けることができる。即ち、屋根パネル組付金具２１を、取扱性が良く、施工に手間が掛からず、しかも、安価なものとすることができる。
【００６９】
また、屋根パネル組付金具２１が、柱固定部３４を備えることにより、パネル受部３１を、隅棟付屋根８の水上側に設けられた柱部３３に簡単確実に固定することができる。これにより、パネル受部３１にかかる屋根パネル１１，１２の荷重を、柱固定部３４を介して柱部３３へ直接且つ効率的に伝達することができる。
【００７０】
更に、パネル受部３１が複数の側面固定部３６，３７を備えることによって、パネル受部３１に載置保持した複数枚の屋根パネル１１，１２の側面をそれぞれ個別に位置精度良く固定することができる。
【００７１】
以上により、隅棟付屋根８を構成する傾斜した２つの屋根面４を設置するための新規な屋根パネル組付金具２１を得ることができる。
【００７２】
この際、パネル受部３１と柱固定部３４とをそれぞれ一枚物の金属板で構成して、溶接により一体化し、パネル受部３１と一体に曲げ加工による側面固定部３６，３７を設けるようにすることで、屋根パネル組付金具２１の機能をより集約し、形状・構造をより合理化し、部品点数をより削減することができ、最大限の小型軽量化を図ることが可能となる。
【００７３】
更に、柱固定部３４に、（パネル受部３１の第一のパネル載置面４１のほぼ中央部を横断する）縦向きの補強部５９を設けて、縦向きの補強部５９でパネル受部３１を下側から線支持することにより、柱固定部３４の形状・構造の合理化や軽量化を図りつつ、パネル受部３１の強度確保を図ることができるようになる。
【００７４】
（効果２）パネル受部３１は、隅棟１４を構成する２つの屋根面４をそれぞれ別個に載置保持できるように、対にして用いることが可能なものとしても良い。そして、対のパネル受部３１が、隅棟１４の稜線の位置を境として山状に組み合わされるようにしても良い。これにより、各パネル受部３１に対してそれぞれ複数枚の屋根パネル１１，１２を並べて置くだけで、傾斜した２つの屋根面４が山状に合わされた隅棟１４を有する隅棟付屋根８を簡単に精度良く構築することができる。
【００７５】
（効果３）対のパネル受部３１は、隅棟１４の稜線の位置に上下の高低差８５を有して設置可能としても良い。これにより、例えば、２つの屋根面４が、それぞれ厚みや高さなどの異なる屋根パネル１１，１２で構成されていたとしても、対のパネル受部３１の高低差８５で屋根パネル１１，１２の上下寸法の違いを吸収することによって、２つの屋根面４を、互いに表面の位置を揃えた状態で設置することが可能になる。
【００７６】
（効果４）対のパネル受部３１が、柱部３３に対してそれぞれ別個に固定可能な対の柱固定部３４を有すると共に、対の柱固定部３４は、互いに連結固定可能な連結部９１を備えるようにしても良い。これにより、連結部９１によって対の柱固定部３４を互いに連結固定することで、対の柱固定部３４を一体化して、柱固定部３４によるパネル受部３１の支持剛性を向上することができる。よって、パネル受部３１で屋根パネル１１，１２をより強固に支持することができる。
【００７７】
（効果５）建物１は、上記屋根パネル組付金具２１を用いて、隅棟付屋根８を構成する傾斜した屋根面４を設置するようにしても良い。これにより、上記屋根パネル組付金具２１と同様の作用効果を有する建物１を得ることができる。
【００７８】
（効果６）上記屋根パネル組付金具２１を用いることによって、太陽電池パネル９５を備えた屋根面４と、屋根仕上材９６を備えた屋根面４とを隅棟１４の両側に備えた隅棟付屋根８を構築するようにしても良い。これにより、太陽電池パネル９５を備えた屋根面４と、屋根仕上材９６を備えた屋根面４とが混在した隅棟付屋根８を容易に構築することができる。
【００７９】
この際、対のパネル受部３１に高低差８５を付けた状態で、太陽電池パネル９５を備えた屋根面４と、屋根仕上材９６を備えた屋根面４とを取付けるようにすれば、太陽電池パネル９５を備えた屋根面４と、屋根仕上材９６を備えた屋根面４とを、表面の位置を揃えた状態で整然と設置することができる。
【実施例２】
【００８０】
図１９〜図２０は、本件の実施例２を示すものである。
【００８１】
この実施例２では、パネル受部３１を、第一のパネル載置面４１を有する第一のパネル受部３１Ａと、第二のパネル載置面４２を有する第二のパネル受部３１Ｂとに分けて、それぞれ別の部材で構成するようにしている。そして、第一のパネル受部３１Ａと、第二のパネル受部３１Ｂとを、ボルトなどの締結具や溶接などによって一体に固定し得るようにしている。
【００８２】
また、柱固定部３４を、第一のパネル受部３１Ａを固定するための第一の固定部３４Ａと、第二のパネル受部３１Ｂを固定するための第二の固定部３４Ｂとに分けて、それぞれ別の部材で構成するようにしている。
【００８３】
そして、第一のパネル受部３１Ａと第一の固定部３４Ａとは溶接やボルト固定などによって一体化される。また、第二のパネル受部３１Ｂと第二の固定部３４Ｂとは溶接などによって一体化される。この際、第一の固定部３４Ａは、第一のパネル載置面４１の下面を面支持可能な横向きの取付フランジ３４１を有するものとされている。横向きの取付フランジ３４１は、第一の固定部３４Ａの傾斜に合わせて斜めに屈曲されている。また、第二の固定部３４Ｂは、上方から見てほぼコ字状のものなどとされており、その上縁部が第二のパネル受部３１Ｂの傾斜に合わせて斜めにカットされている。そして、第一の固定部３４Ａの固定面３４２を柱部３３まで延ばすことにより、第一の固定部３４Ａと第二の固定部３４Ｂとをそれぞれ別個に柱部３３へ直接固定できるようにして、取付剛性を高めるようにしている。なお、第一の固定部３４Ａは、柱部３３に対して第二の固定部３４Ｂの下側に固定される。
【００８４】
その他の構成については、上記実施例１とほぼ同様である。このようにしても実施例１と同様の作用効果を得ることができる。
【実施例３】
【００８５】
図２１は、本件の実施例３を示すものである。
【００８６】
この実施例では、第一の固定部３４Ａを実施例２のものよりも大きくして第一のパネル受部３１Ａに対する支持剛性をより高めるようにしている。
【００８７】
その他の構成については、上記各実施例とほぼ同様である。このようにしても各実施例と同様の作用効果を得ることができる。
【実施例４】
【００８８】
図２２、図２３は、本件の実施例４を示すものである。
【００８９】
この実施例４では、第一の固定部３４Ａの第一のパネル受部３１Ａに対する横向きの取付フランジ３４１を実施例２や実施例３のものよりも大きくして（最大化して）、第一のパネル載置面４１のほぼ全面を取付フランジ３４１で支持できるようにして、第一のパネル受部３１Ａに対する支持剛性を更に高めるようにしている。
【００９０】
その他の構成については、上記各実施例とほぼ同様である。このようにしても各実施例と同様の作用効果を得ることができる。
【００９１】
以上、この発明の実施の形態を図面により詳述してきたが、実施の形態はこの発明の例示にしか過ぎないものである。よって、この発明は実施の形態の構成にのみ限定されるものではなく、この発明の要旨を逸脱しない範囲の設計の変更等があってもこの発明に含まれることは勿論である。また、例えば、各実施の形態に複数の構成が含まれている場合には、特に記載がなくとも、これらの構成の可能な組合せが含まれることは勿論である。また、実施の形態に複数の実施例や変形例がこの発明のものとして開示されている場合には、特に記載がなくとも、これらに跨がった構成の組合せのうちの可能なものが含まれることは勿論である。また、図面に描かれている構成については、特に記載がなくとも、含まれることは勿論である。更に、「等」の用語がある場合には、同等のものを含むという意味で用いられている。また、「ほぼ」「約」「程度」などの用語がある場合には、常識的に認められる範囲や精度のものを含むという意味で用いられている。
【符号の説明】
【００９２】
１      建物
４      屋根面
８      隅棟付屋根
１１    屋根パネル
１２    屋根パネル
１４    隅棟
２１    屋根パネル組付金具
３１    パネル受部
３３    柱部
３４    柱固定部
３６    側面固定部
３７    側面固定部
８５    高低差
９１    連結部
９５    太陽電池パネル
９６    屋根仕上材
【図１】
2019052514.tif 000003
【図１Ａ】
2019052514.tif 000004
【図２】
2019052514.tif 000005
【図３】
2019052514.tif 000006
【図４】
2019052514.tif 000007
【図５】
2019052514.tif 000008
【図６】
2019052514.tif 000009
【図７】
2019052514.tif 000010
【図８】
2019052514.tif 000011
【図９Ａ】
2019052514.tif 000012
【図９Ｂ】
2019052514.tif 000013
【図９Ｃ】
2019052514.tif 000014
【図９Ｄ】
2019052514.tif 000015
【図９Ｅ】
2019052514.tif 000016
【図１０Ａ】
2019052514.tif 000017
【図１０Ｂ】
2019052514.tif 000018
【図１０Ｃ】
2019052514.tif 000019
【図１０Ｄ】
2019052514.tif 000020
【図１０Ｅ】
2019052514.tif 000021
【図１１Ａ】
2019052514.tif 000022
【図１１Ｂ】
2019052514.tif 000023
【図１１Ｃ】
2019052514.tif 000024
【図１１Ｄ】
2019052514.tif 000025
【図１１Ｅ】
2019052514.tif 000026
【図１１Ｆ】
2019052514.tif 000027
【図１２】
2019052514.tif 000028
【図１３】
2019052514.tif 000029
【図１４】
2019052514.tif 000030
【図１５】
2019052514.tif 000031
【図１６】
2019052514.tif 000032
【図１７】
2019052514.tif 000033
【図１８】
2019052514.tif 000034
【図１９】
2019052514.tif 000035
【図１９Ａ】
2019052514.tif 000036
【図２０】
2019052514.tif 000037
【図２１】
2019052514.tif 000038
【図２２】
2019052514.tif 000039
【図２３】
2019052514.tif 000040